(57)【要約】      （修正有）【課題】初心者も利用可能な回転型打撃練習機を提供する。【解決手段】パンチボール６００と、パンチボール６００の打撃周期を調節するために一端が延長される方向に長さ調節可能にパンチボール６００を支持する支持アーム１００と、支持アーム１００の他端を回転可能に支持し、パンチボール６００の打撃高さを調節するために上下方向に長さ調節可能な支持バー２００と、支持バー２００を支持する支え台３００とを含む回転型打撃練習機１０００であって、ユーザーがパンチボール６００の移動経路を予想することができ、パンチボール６００を連続的に打撃することを容易とした。【選択図】図１
0003181660.tif 000002
【実用新案登録請求の範囲】
【請求項１】
パンチボールと、
前記パンチボールの打撃周期を調節するために一端が延長される方向に長さ調節可能に前記パンチボールを支持する支持アームと、
前記支持アームの他端を３６０度回転可能に支持し、前記パンチボールの打撃高さを調節するために上下方向に長さ調節可能な支持バーと、
前記支持バーを支持する支え台と、を含む回転型打撃練習機。
【請求項２】
前記支持アームを前記支持バーが延長される方向に弾性的に支持する弾性支持部をさらに含む、請求項１に記載の回転型打撃練習機。
【請求項３】
前記弾性支持部は、
前記支持アームを中心に前記支持バーの上下に離隔して結合される支持板と、
前記支持板と前記支持アームの他端との間に介在する弾性部材と、
前記弾性部材と前記支持アームとの間に介在するワッシャーと、を含むことを特徴とする、請求項２に記載の回転型打撃練習機。
【請求項４】
前記支持アームの他端には、前記支持バーが挿入される回転リングが形成され、
前記支持アームの両端は、前記パンチボール及び前記回転リングと着脱可能に結合されることを特徴とする、請求項１に記載の回転型打撃練習機。
【請求項５】
前記支持アームは、弾性的に折り曲げ可能であることを特徴とする、請求項１に記載の回転型打撃練習機。
【請求項６】
前記支え台の内部には、重量物が収容される収容部が形成されることを特徴とする、請求項１に記載の回転型打撃練習機。
【請求項７】
前記支え台の底面に結合される設置部をさらに含み、
前記設置部は、前記回転型打撃練習機が設置される床と前記支え台との間に介在する一対のベルクロテープを含むことを特徴とする、請求項１に記載の回転型打撃練習機。
【請求項８】
パンチボールと、
前記パンチボールを支持する支持アームと、
前記支持アームを３６０度回転可能に支持する支持バーと、
前記支持バーを支持する支え台と、
前記支持アームを前記支持バーが延長される方向に弾性的に支持する弾性支持部と、を含む回転型打撃練習機。
【請求項９】
前記支持アームは、前記パンチボールの打撃周期が調節されるように前記支持アームが延長される方向に長さ調節可能であることを特徴とする、請求項８に記載の回転型打撃練習機。
【請求項１０】
前記支持バーは、前記パンチボールの打撃高さが調節されるように上下方向に長さ調節可能であることを特徴とする、請求項８に記載の回転型打撃練習機。
【請求項１１】
前記弾性支持部は、
前記支持アームを中心に前記支持バーの上下に離隔して結合される支持板と、
前記支持板と前記支持アームの他端との間に介在する弾性部材と、
前記弾性部材と前記支持アームとの間に介在するワッシャーと、を含むことを特徴とする、請求項８に記載の回転型打撃練習機。
【請求項１２】
パンチボールと、
前記パンチボールを支持する支持アームと、
前記支持アームを３６０度回転可能に支持する支持バーと、
前記支持バーを支持する支え台と、
前記パンチボールの打撃周期を調節するために前記支持バーに対する支持アームの回転周期を調節する調節部と、を含む回転型打撃練習機。
【請求項１３】
前記支持アームを前記支持バーが延長される方向に弾性的に支持する弾性支持部をさらに含む、請求項１２に記載の回転型打撃練習機。
【請求項１４】
前記弾性支持部は、
前記支持アームを中心に前記支持バーの上下に離隔して結合される支持板と、
前記支持板と前記支持アームの他端との間に介在する弾性部材と、
前記弾性部材と前記支持アームとの間に介在するワッシャーと、を含むことを特徴とする、請求項１３に記載の回転型打撃練習機。
【請求項１５】
前記支持アームの他端には、前記支持バーが挿入される回転リングが形成され、
前記調節部は、前記支持板を前記回転リング側に加圧するように前記支持バーにねじ結合される調節ねじを含むことを特徴とする、請求項１４に記載の回転型打撃練習機。
【請求項１６】
前記支持アームは、前記パンチボールの打撃周期を調節するために一端が延長される方向に長さ調節可能であることを特徴とする、請求項１５に記載の回転型打撃練習機。
【請求項１７】
前記支持バーは、前記パンチボールの打撃高さを調節するために上下方向に長さ調節可能であることを特徴とする、請求項１６に記載の回転型打撃練習機。
【考案の詳細な説明】
【技術分野】
【０００１】
本考案は、回転型打撃練習機に関するものである。
【背景技術】
【０００２】
通常、パンチボールを用いた運動器具は、パンチボールと、パンチボールを弾性的に支持する弾性部材とを含んでいる。ここで、弾性部材は、パンチボールの上下に延長され、室内の天井と床に設置される。
【０００３】
しかし、このようなパンチボールを用いた運動器具によると、パンチボールを拳で打撃した後、戻ってくるパンチボールを連続的に打撃するのに困難があった。これは、パンチボールを支持する弾性部材の強い弾性力によってパンチボールの反動周期が速く、且つ、パンチボールを上下に延長される弾性部材が支持することから、戻ってくるパンチボールの位置を予測しにくいことに起因するといえる。
【０００４】
すなわち、ユーザーが最初にパンチボールを打撃した後、戻ってくるパンチボールを連続的に打撃できないので、ユーザーの運動リズムが壊れやすく、ユーザーに興味を誘発しにくく、ユーザーが運動過程で却ってストレスを受けるという問題があった。そして、このような問題により、老若男女を問わずあらゆる人々にとって、パンチボールを用いた運動器具の利用が困難であった。
【０００５】
最近、ボクシングがストレス解消又はダイエットのための運動と認識される傾向が拡大している状況で、通常のパンチボールを用いた運動器具は、パンチボールを弾性的に支持する弾性部材の設置のために多くの費用がかかり、その底辺の拡大に限界を有するしかなかった。
【考案の概要】
【考案が解決しようとする課題】
【０００６】
本考案は、初心者も利用可能な回転型打撃練習機を提供することを目的とする。
【課題を解決するための手段】
【０００７】
本考案の一側面によると、パンチボールと、パンチボールの打撃周期を調節するために一端が延長される方向に長さ調節可能にパンチボールを支持する支持アームと、支持アームの他端を３６０度回転可能に支持し、パンチボールの打撃高さを調節するために上下方向に長さ調節可能な支持バーと、支持バーを支持する支え台とを含む回転型打撃練習機が提供される。
【０００８】
ここで、支持アームは、支持バーを軸にして支持バーに回転可能に結合され、回転型打撃練習機は、支持アームを支持バーが延長される方向に弾性的に支持する弾性支持部をさらに含むことができる。
【０００９】
このとき、弾性支持部は、支持アームを中心に支持バーの上下に離隔して結合される支持板と、支持板と支持アームの他端との間に介在する弾性部材と、支持アームの他端と支持バーとの間に介在するベアリングと、弾性部材と支持アームとの間に介在するワッシャーとを含むことができる。
【００１０】
支持アームの他端には、支持バーが挿入される回転リングが形成され、支持アームの両端は、パンチボール及び回転リングと着脱可能に結合される。
【００１１】
そして、支持アームは弾性的に折り曲げ可能であり、支持アームは、引き出し可能に結合される複数の第１の連結管を含むことができ、支持バーは、引き出し可能に結合される複数の第２の連結管を含むことができる。
【００１２】
そして、支え台の内部には、重量物が収容される収容部が形成され、回転型打撃練習機は、支え台の底面に結合される設置部をさらに含むことができ、設置部は、回転型打撃練習機が設置される床と支え台との間に介在する一対のベルクロテープを含むことができる。
【００１３】
また、本考案の他の側面によると、パンチボールと、パンチボールを支持する支持アームと、支持アームを３６０度回転可能に支持する支持バーと、支持バーを支持する支え台と、支持アームを支持バーが延長される方向に弾性的に支持する弾性支持部とを含む回転型打撃練習機が提供される。
【００１４】
ここで、支持アームは、パンチボールの打撃周期が調節されるように支持アームが延長される方向に長さ調節可能であり、支持バーは、パンチボールの打撃高さが調節されるように上下方向に長さ調節可能である。
【００１５】
そして、弾性支持部は、支持アームを中心に支持バーの上下に離隔して結合される支持板と、支持板と支持アームの他端との間に介在する弾性部材と、支持アームの他端と支持バーとの間に介在するベアリングと、弾性部材と支持アームとの間に介在するワッシャーとを含むことができる。
【００１６】
また、本考案の更に他の側面によると、パンチボールと、パンチボールを支持する支持アームと、支持アームを３６０度回転可能に支持する支持バーと、支持バーを支持する支え台と、パンチボールの打撃周期を調節するために支持バーに対する支持アームの回転周期を調節する調節部とを含む回転型打撃練習機が提供される。
【００１７】
ここで、回転型打撃練習機は、支持アームを支持バーが延長される方向に弾性的に支持する弾性支持部をさらに含むことができ、弾性支持部は、支持アームを中心に支持バーの上下に離隔して結合される支持板と、支持板と支持アームの他端との間に介在する弾性部材と、弾性部材と支持アームとの間に介在するワッシャーとを含むことができる。
【００１８】
そして、支持アームの他端には、支持バーが挿入される回転リングが形成され、調節部は、支持板を回転リング側に加圧するように支持バーにねじ結合される調節ねじを含むことができる。
【００１９】
そして、支持アームは、パンチボールの打撃周期を調節するために一端が延長される方向に長さ調節可能であり、支持バーは、パンチボールの打撃高さを調節するために上下方向に長さ調節可能である。
【考案の効果】
【００２０】
本考案の実施例によると、パンチボールが一定の軌道に沿って回転するので、ユーザーはパンチボールの移動経路を予想することができ、パンチボールを連続的に打撃することが容易になる。
【図面の簡単な説明】
【００２１】
【図１】本考案の一実施例に係る回転型打撃練習機を示した斜視図である。
【図２】本考案の一実施例に係る回転型打撃練習機のパンチボールと支持アームを示した正面図である。
【図３】本考案の一実施例に係る回転型打撃練習機の支持バーと支え台を示した正面図である。
【図４】本考案の一実施例に係る回転型打撃練習機の弾性支持部を示した分解斜視図である。
【図５】本考案の一実施例に係る回転型打撃練習機を示した正面図である。
【図６】本考案の一実施例に係る回転型打撃練習機を示した正面図である。
【図７】本考案の他の一実施例に係る回転型打撃練習機を示した斜視図である。
【図８】本考案の更に他の一実施例に係る回転型打撃練習機を示した斜視図である。
【図９】本考案の更に他の一実施例に係る回転型打撃練習機を示した斜視図である。
【考案を実施するための形態】
【００２２】
本考案は、多様に変換可能であり、多様な実施例を有することができる。したがって、特定の各実施例は、図面に例示して詳細に説明することにする。しかし、これは、本考案を特定の実施形態に限定するためのものではなく、本考案の思想及び技術範囲に含まれる全ての変換、均等物及び代替物を含むものと理解しなければならない。本考案を説明するにおいて、関連した公知技術についての具体的な説明が本考案の要旨を不明確にするおそれがあると判断される場合、その詳細な説明は省略する。
【００２３】
「第１、第２」などの用語は、多様な構成要素を説明するために使用されるが、前記各構成要素は、前記各用語によって限定されてはならない。前記各用語は、一つの構成要素を他の構成要素から区別する目的のみに使用される。
【００２４】
本出願で使用した用語は、単に特定の実施例を説明するために使用されたもので、本考案を限定するためのものではない。単数の表現は、文脈上、明白に異なる意味でない限り、複数の表現も含む。本出願において、「含む」又は「有する」などの用語は、明細書上に記載した特徴、数字、段階、動作、構成要素、部品又はこれらの組み合わせが存在することを指定するためのもので、一つ又はそれ以上の他の特徴や数字、段階、動作、構成要素、部品又はこれらの組み合わせの存在又は付加可能性を予め排除しないものと理解しなければならない。
【００２５】
以下、本考案に係る回転型打撃練習機の好適な実施例を添付の図面を参照して詳細に説明する。添付の図面を参照して説明するにおいて、同一の又は対応する構成要素には同一の図面番号を付与し、これについての重複する説明は省略する。
【００２６】
図１は、本考案の一実施例に係る回転型打撃練習機１０００を示した斜視図で、図２は、本考案の一実施例に係る回転型打撃練習機１０００のパンチボール６００と支持アーム１００を示した正面図である。
【００２７】
図１及び図２に示すように、本考案の一実施例に係る回転型打撃練習機１０００は、パンチボール６００、支持アーム１００、支持バー２００、弾性支持部４００、支え台３００及び設置部５００を含むことができる。
【００２８】
パンチボール６００は、その内部に空気が充填され、弾性を有する球状に形成される。パンチボール６００の一側にはナット６０２が結合され、このナット６０２は、後述する支持アーム１００の一端に形成されるボルト１１４とねじ結合される。結局、パンチボール６００と支持アーム１００は着脱可能に結合される。
【００２９】
支持アーム１００は、パンチボール６００を支持することができる。支持アーム１００は、長さ方向に延長される形態を有し、後述する支持バー２００に対して水平方向に配置される。したがって、ユーザーがパンチボール６００を打撃すると、支持アーム１００は、支持バー２００を中心に回転し、元の位置に復帰することができる。
【００３０】
すなわち、パンチボール６００が一定の軌道に沿って回転するので、ユーザーは、パンチボール６００の移動経路を予想することができ、パンチボール６００を連続的に打撃することが容易になる。その結果、初心者も容易に使用することができ、運動の楽しさが増し、より多くの運動が可能になる。
【００３１】
支持アーム１００は、例えば、２個の第１の連結管１１０、１２０を含むことができる。第１の連結管１１０、１２０は、その内部に中空部が形成されるパイプの形態を有することができる。また、２個の第１の連結管１１０、１２０の直径が異なっているので、２個の第１の連結管１１０、１２０は、互いに引き出し可能に結合される。
【００３２】
このとき、２個の第１の連結管１１０、１２０の間には固定具１５０が結合される。固定具１５０は、直径の大きい第１の連結管１２０の末端に結合される円筒状のボディー１５２と、その内部に挿入される第１の連結管１１０の一側を加圧するようにボディー１５２にねじ結合される調節ボルト１５４とを含むことができる。
【００３３】
したがって、固定具１５０は、第１の連結管１１０の引き出し長さを調節して固定することができ、全体的に支持アーム１００の長さを調節可能にする。
【００３４】
直径の小さい第１の連結管１１０の中央には圧縮コイルスプリング１１２が結合される。したがって、支持アーム１００が弾性的に折り曲げ可能であり、ユーザーがパンチボール６００をいずれの方向から打撃するとしても、支持アーム１００又は支持バー２００の損傷を防止することができる。
【００３５】
支持アーム１００の他端には回転リング１３０が結合される。回転リング１３０の内部に貫通ホール１３２が形成され、貫通ホール１３２にはベアリング１３６が挿入される。ベアリング１３６の内部には支持バー２００が挿入される。したがって、ベアリング１３６は、支持アーム１００と支持バー２００との間に介在し、支持アーム１００の回転を円滑にすることができる。
【００３６】
回転リング１３０の一側にはナット１３４が形成され、第１の連結管１２０の末端にはボルト１２２が形成される。したがって、第１の連結管１２０と回転リング１３０は着脱可能に結合される。
【００３７】
保護クッション７００は、支持アーム１００の外周面をカバーすることができる。すなわち、ユーザーがパンチボール６００を打撃し、支持アーム１００が回転する場合、ユーザーが支持アーム１００にぶつかって危険になるおそれがあるが、保護クッション７００が支持アーム１００の外周面をカバーすると、このような危険を減少させることができる。このとき、保護クッション７００は、支持アーム１００全体をカバーしたり、第１の連結管１１０、１２０をカバーすることができる。
【００３８】
保護クッション７００は、長さ方向に延長される円筒状を有し、長さ方向に形成される貫通ホール７０２を備えており、この貫通ホール７０２に支持アーム１００が挿入される。保護クッション７００の一側には、調節ボルト１５４を露出させるための貫通ホール７０４が形成される。保護クッション７００は、例えば、発泡性樹脂からなり、柔らかい弾性を有する材質で構成される。
【００３９】
図３は、本考案の一実施例に係る回転型打撃練習機１０００の支持バー２００と支え台３００を示した正面図である。図２及び図３に示すように、支持バー２００は、支持アーム１００を水平方向に３６０度回転可能に支持することができる。
【００４０】
支持バー２００は、上下方向に延長される形態を有することができる。支持バー２００は、例えば、２個の第２の連結管２１０、２２０を含むことができる。第２の連結管２１０、２２０は、第１の連結管１１０、１２０と同一の結合関係を有することができる。すなわち、２個の連結管２１０、２２０の間には固定具２５０が結合され、固定具２５０を用いてパンチボール６００の設置高さを調節することができる。
【００４１】
支持バー２００の下端には支え台３００が結合され、支え台３００は支持バー２００を支持することができる。支え台３００は、円錐状の形態を有することができ、その内部には、例えば、水のような重量物が収容される収容部３２０が形成される。
【００４２】
したがって、支え台３００は、回転型打撃練習機１０００の重心を低くし、ユーザーがパンチボール６００を打撃するとき、回転型打撃練習機１０００が倒れることを防止することができる。
【００４３】
支え台３００の一側にはカバー３１０が結合され、これによって、水が外部に流出することを防止することができる。
【００４４】
支え台３００の底面には設置部５００が結合される。設置部５００は、支え台３００を床により安定的に設置させることができる。設置部５００は、一対のベルクロテープ５１０を含むことができる。
【００４５】
一枚のベルクロテープ５１０は、例えば、両面テープを用いて床１０に接合され、残りの一枚のベルクロテープ５１０は、支え台３００の底面に接合される。したがって、支え台３００が床に着脱可能に結合されるので、ユーザーは、回転型打撃練習機１０００をより安定的かつ便利に床に設置することができる。
【００４６】
その結果、回転型打撃練習機１０００の設置が容易になり、回転型打撃練習機１０００を設置するための時間と費用が節減される。
【００４７】
図４は、本考案の一実施例に係る回転型打撃練習機１０００の弾性支持部４００を示した分解斜視図である。図４に示すように、支持バー２００の中央には弾性支持部４００が結合される。
【００４８】
弾性支持部４００は、支持アーム１００を上下方向に弾性的に支持することができる。弾性支持部４００は、弾性部材４２０、支持板４３０及びワッシャー４１０を含むことができる。
【００４９】
弾性部材４２０は、例えば、圧縮コイルスプリングである。弾性部材４２０は、回転リング１３０の上下に配置され、支持アーム１００を上下方向に弾性的に支持することができる。弾性部材４２０と回転リング１３０との間にはワッシャー４１０が介在し、回転リング１３０と弾性部材４２０との間の摩擦を減少させることができる。
【００５０】
支持バー２００の中央には、支持アーム１００を中心に離隔して結合される支持板４３０が形成され、支持板４３０は、弾性部材４２０の末端を支持することができる。
【００５１】
弾性支持部４００により、支持アーム１００は、支持バー２００に回転可能かつ上下に移動可能に結合される。したがって、ユーザーがパンチボール６００を上下方向に打撃する場合も、支持アーム１００が上下に移動することができ、支持アーム１００又は支持バー２００の損傷を防止することができる。
【００５２】
調節部４５０は、支持アーム１００と支持バー２００との間の摩擦力の大きさを調節し、支持アーム１００の回転速度を調節することによって、パンチボール６００の回転周期を調節することができる。
【００５３】
回転リング１３０の下側を支持する支持板４１０は支持バー２００に固定され、回転リング１３０の上側に配置される支持板４１０は、支持バー２００に対して上下に移動可能に結合される。このとき、調節部４５０は、支持バー２００の外周面に形成されるねじ山４５２と、このねじ山４５２にねじ結合される調節ねじ４５４とを含むことができる。
【００５４】
ユーザーは、調節ねじ４５４を回転させることによって、回転リング１３０を加圧する弾性部材４２０の弾性力を調節し、支持アーム１００の回転速度を調節することができ、その結果、パンチボール６００の回転周期が変更され、戻ってくるパンチボール６００の速度を調節することができる。したがって、ユーザーは、調節ねじ４５４を用いることによって、パンチボール６００を打撃できる打撃周期を調節することができる。
【００５５】
図５及び図６は、本考案の一実施例に係る回転型打撃練習機１０００を示した正面図である。図５に示すように、支持アーム１００は、水平方向に長さ調節可能であり、パンチボール６００と支持バー２００との隔離距離を調節することができる。
【００５６】
パンチボール６００と支持バー２００との隔離距離が短い場合（図５のｌ１）、パンチボール６００の回転周期が短くなり、ユーザーは、より速くパンチボール６００を打撃することができる。そして、パンチボール６００と支持バー２００との隔離距離が長い場合（図５のｌ２）、パンチボール６００の回転周期が長くなり、ユーザーは、よりゆっくりパンチボール６００を打撃することができる。したがって、ユーザーは、支持アーム１００の長さを調節することによって、パンチボール６００の打撃周期を調節することができる。
【００５７】
図６に示すように、支持バー２００は、上下方向に長さ調節可能であり、パンチボール６００の設置高さを調節することができる。
【００５８】
パンチボール６００が床から低く設置される場合（図６のｈ１)、子供のように背の低いユーザーが拳を用いた打撃練習をしたり、足球などの運動を練習することができる。
【００５９】
そして、パンチボール６００が床から高く設置される場合（図６のｈ２）、背の高いユーザーがボクシングなどの拳を用いた打撃練習をしたり、足蹴り又はバレーボールなどの運動を練習することができる。したがって、支持バー２００の長さを調節することによって、多様な年齢帯のユーザーが多様な形態の打撃練習を行うことができる。
【００６０】
図７は、本考案の他の一実施例に係る回転型打撃練習機２０００を示した斜視図である。図７に示すように、本実施例の回転型打撃練習機２０００は、直六面体状の支え台３００を備えることによって、回転型打撃練習機２０００の底面がより広く地面から支持され、ユーザーが安定的に打撃練習を行うことができる。
【００６１】
支え台３００は、その内部に水が充填され、支え台３００の重量が増加することによって、より安定的な支持構造を形成することができる。
【００６２】
図８は、本考案の更に他の一実施例に係る回転型打撃練習機３０００を示した斜視図である。図８に示すように、本実施例の回転型打撃練習機３０００は、支持アーム１００が支持バー２００の両側に結合され、その末端にパンチボール６００が結合される。
【００６３】
したがって、ユーザーがパンチボール６００を打撃したとき、その回転周期が半減し、ユーザーは、より短い打撃周期で回転型打撃練習機３０００を使用することができる。
【００６４】
図９は、本考案の更に他の一実施例に係る回転型打撃練習機４０００を示した斜視図である。図９に示すように、本実施例の回転型打撃練習機４０００は、上述した図８の回転型打撃練習機４０００と同様に、両側に結合される２個のパンチボール６００を備えるとともに、支え台３００がより大きいサイズの直六面体からなり、回転型打撃練習機４０００の盗難を防止することができる。
【００６５】
支え台３００は、鋼鉄材質からなり、その内部にセメントモルタルが充填される。そして、支え台３００の底面には設置部が結合される。設置部３１０は、支持脚３１２及び設置ねじ３１４を含むことができる。支持脚３１２は、支え台３１０の底面の四方に結合され、支持脚３１２の底面には貫通ホールが形成される。設置ねじ３１４は、この貫通ホールに挿入され、床１０にセメントモルタルなどによって固定される。
【００６６】
その結果、本実施例の回転型打撃練習機４０００は、床に安定的な設置構造を形成し、盗難防止の効果を期待することができる。
【００６７】
以上、本考案の好適な実施例を参照して説明したが、該当の技術分野で通常の知識を有する者であれば下記の実用新案登録請求の範囲に記載した本考案の思想及び領域から逸脱しない範囲内で本考案を多様に修正及び変更可能であることを理解できるだろう。
【００６８】
上述した実施例以外の多くの実施例は、本考案の実用新案登録請求の範囲内に存在する。
【符号の説明】
【００６９】
１００：支持アーム、２００：支持バー、３００：支え台、４００：弾性支持部、５００：設置部、６００：パンチボール、７００：保護クッション、１０００：回転型打撃練習機
【図１】
0003181660.tif 000003
【図２】
0003181660.tif 000004
【図３】
0003181660.tif 000005
【図４】
0003181660.tif 000006
【図５】
0003181660.tif 000007
【図６】
0003181660.tif 000008
【図７】
0003181660.tif 000009
【図８】
0003181660.tif 000010
【図９】
0003181660.tif 000011